【手続補正書】
【提出日】平成17年3月31日(2005.3.31)
【手続補正１】
【補正対象書類名】明細書
【補正対象項目名】全文
【補正方法】変更
【補正の内容】
【書類名】      明細書
【発明の名称】  ＬＡＮ間接続システムおよびその警報転送方式
【特許請求の範囲】
【請求項１】 中継地を含む光ファイバ伝送路により少なくとも２つのＬＡＮを接続するＬＡＮ間接続システムにおいて、
一方のＬＡＮは、その入出力の異常を表わす警報パケットを前記中継地を含む光ファイバ伝送路を介して他方のＬＡＮに転送する警報転送制御手段を含み、
前記中継地は、その入出力の異常を表わす警報パケットを光ファイバ伝送路を介して他方のＬＡＮに転送する警報転送制御手段と、前記一方のＬＡＮからの警報パケットに自装置の通過を表わす識別符号を付与する識別符号付与手段とを含み、
他方のＬＡＮは、光ファイバ伝送路を介して受けた警報パケットが一方のＬＡＮまたは中継地のいずれからのものであるかを判定し、その警報パケットを破棄するとともに警報出力をする警報制御手段とを含むことを特徴とするＬＡＮ間接続システム。
【請求項２】  ユーザＬＡＮと通信事業者の広域ＬＡＮとを少なくとも１以上の中継地を介した光ファイバ伝送路により接続するＬＡＮ間接続システムであって、
該システムは、ユーザ宅内に設置されてユーザＬＡＮと光ファイバ伝送路との間に伝送するデータフレームを電気−光変換してそのデータフレームを媒体アクセス制御により転送する第１の変換装置と、通信事業者側に設置されて広域ＬＡＮと光ファイバ伝送路との間に伝送する所定のデータフレームを電気―光変換してそのデータフレームを媒体アクセス制御により転送する第２の変換装置と、光ファイバ伝送路のそれぞれの中継地に電気伝送路により相互に接続されて設置された第１および第２の中継器を含む中継装置であって、光ファイバ伝送路からのデータフレームを一旦電気信号に変換して再び光ファイバ伝送路により伝送する光信号に変換して転送する中継装置とを有し、
前記第１の変換装置と前記中継装置の第１および第２の中継器は、それぞれ自装置へのデータフレームの入出力状態を監視して、その異常を検出した際にそれぞれの異常を表わす警報パケットであって前記第２の変換装置により破棄される警報パケットを中継地または他の中継器を含む光ファイバ伝送路を介して前記第２の変換装置に転送する警報転送制御手段を含み、
さらに前記中継装置の第１および第２の中継器は、前記第１の変換装置または第１の中継器から前記第２の変換装置に転送する警報パケットが自装置を通過する際に、その警報パケットに自装置の通過を表わす識別符号を付与する識別符号付与手段を含み、
前記第２の光変換装置は、前記第１の光変換装置または前記中継装置の第１の中継器もしくは第２の中継器からの警報パケットを光ファイバ伝送路から受けてその警報パケットが前記第１の光変換装置または前記中継装置の第１もしくは第２の中継器のいずれからのものであるかを判定し、さらに異常を判定してその警報パケットにより表わされる警報を外部に出力する警報出力制御手段とを含むことを特徴とするＬＡＮ間接続システム。
【請求項３】  請求項２に記載のＬＡＮ間接続システムにおいて、
前記警報パケットは、前記第２の変換装置において転送処理するデータフレームの最短パケット長よりもさらに短いパケット長に形成されたパケットであって、少なくとも、警報の種別を表わす所定のパターンと、前記第１の変換装置または前記中継装置の第１もしくは第２の中継器のいずれの装置から発生されたかを表わす所定の識別符号とを含むパケットであることを特徴とするＬＡＮ間接続システム。
【請求項４】  請求項２に記載のＬＡＮ間接続システムにおいて、
前記警報パケットは、前記第２の変換装置において転送処理するデータフレームのパケット長と同様の長さのパケットであり、少なくとも、警報の種別を表わす所定のパターンと、前記第１の変換装置または前記中継装置のいずれの装置から発生された警報パケットであるかを表わす識別符号と、警報パケットの誤り訂正符号であってその符号に強制的に誤りを含ませた誤り訂正符号とを含むパケットであることを特徴とするＬＡＮ間接続システム。
【請求項５】  請求項３または請求項４に記載のＬＡＮ間接続システムにおいて、
前記第１の変換装置と前記中継装置の第１および第２の中継器は、識別符号として同じ値の符号を警報パケットに付加して送信し、前記中継装置の第１および第２の中継器は、それぞれの装置から転送された警報パケットが自装置を通過する際にその識別符号に所定の値を加算して転送することを特徴とするＬＡＮ間接続システム。
【請求項６】  請求項２ないし請求項５のいずれかに記載のＬＡＮ間接続システムにおいて、
前記第１の変換装置は、ユーザＬＡＮと接続された電気物理層を終端する電気物理層終端手段と、光ファイバ伝送路と接続された光物理層を終端する光物理層終端手段と、該終端手段間においてデータフレームをそのＭＡＣアドレスに従って転送するＭＡＣスイッチと、該ＭＡＣスイッチと前記光物理層終端手段との間において前記警報転送制御手段からの警報パケットを光ファイバ伝送路への送信経路に挿入する警報パケット挿入手段とを含み、前記警報転送制御手段は、少なくとも、前記電気物理層終端手段でのユーザＬＡＮとのリンク状態を監視する第１の監視手段と、前記光物理層終端手段での光ファイバ伝送路とのリンク状態を監視する第２の監視手段と、自装置の電源が正常であるか否かを監視する第３の監視手段と、それぞれの監視手段のいずれかにおいて異常を検出した際にその異常を表わす警報パケットを生成するパケット生成手段とを含むことを特徴とするＬＡＮ間接続システム。
【請求項７】  請求項２ないし請求項５のいずれかに記載のＬＡＮ間接続システムにおいて、
前記中継装置の第１および第２の中継器はそれぞれ、電気伝送路と接続された電気物理層を終端する電気物理層終端手段と、光ファイバ伝送路と接続された光物理層を終端する光物理層終端手段と、該終端手段間において前記警報転送制御手段からの警報パケットを前記第２の変換装置への送信経路に挿入する警報パケット挿入手段と、前記終端手段間において前記第１の変換装置または第１の中継器からの警報パケットをその受信経路から検出する警報パケット検出手段とを含み、前記警報転送制御手段は少なくとも、前記電気物理層終端手段での電気伝送路とのリンク状態を監視する第１の監視手段と、前記光物理層終端手段での光ファイバ伝送路とのリンク状態を監視する第２の監視手段と、自装置の電源が正常であるか否かを監視する第３の監視手段と、それぞれの監視手段のいずれかにおいて異常を検出した際にその異常を表わす警報パケットを生成するパケット生成手段とを含み、前記識別符号付与手段は、前記警報パケット検出手段により検出した前記第１の変換装置または第１の中継器からの警報パケットの識別符号に所定の値を加算して自装置を通過したことを表わす識別符号を生成する加算手段を含むことを特徴とするＬＡＮ間接続システム。
【請求項８】  請求項２ないし請求項５のいずれかに記載のＬＡＮ間接続システムにおいて、
前記第２の変換装置は、広域ＬＡＮと接続された電気物理層を終端する電気物理層終端手段と、光ファイバ伝送路と接続された光物理層を終端する光物理層終端手段と、該終端手段間においてデータフレームをそのＭＡＣアドレスに従って転送するＭＡＣスイッチと、該ＭＡＣスイッチと前記光物理層終端手段との間において前記第１の変換装置または前記中継装置の第１もしくは第２の中継器からの警報パケットをその受信経路から前記警報出力制御手段に供給する警報パケット検出手段とを含み、前記警報出力制御手段は、少なくとも、前記警報パケット検出手段からの警報パケットが前記第１の変換装置または前記中継装置のいずれの装置からの警報パケットであるかを判定する識別符号判定手段と、その装置でのいずれの異常を表わすかを判定する警報判定手段と、それらの結果に基づいて警報を発生する警報発生手段とを含むことを特徴とするＬＡＮ間接続システム。
【請求項９】  ユーザＬＡＮと通信事業者の広域ＬＡＮとを少なくとも１以上の中継地を含む光ファイバ伝送路を介して接続するＬＡＮ間接続システムにおける警報転送方式であって、
ユーザ宅内側にユーザＬＡＮと光ファイバ伝送路との間に伝送するデータフレームを電気−光変換してそのデータフレームを媒体アクセス制御により転送する第１の変換装置を用意し、通信事業者側に広域ＬＡＮと光ファイバ伝送路との間に伝送する所定のデータフレームを電気−光変換してそのデータフレームを媒体アクセス制御により転送する第２の変換装置を用意し、さらにそれぞれの中継地に電気伝送路により接続された第１および第２の中継器を含む中継装置であって光ファイバ伝送路からのデータフレームを電気信号に一旦変換して再び光ファイバ伝送路により伝送する光信号に変換して転送する中継装置を用意し、
前記第１の変換装置において、少なくともユーザＬＡＮからのデータフレームの入力状態および光ファイバ伝送路からのデータフレームの入力状態をそれぞれ監視するとともに、前記中継装置の第１および第２の中継器において、光ファイバ伝送路または電気伝送路からのデータフレームの入力状態をそれぞれ監視し、
それらの監視の場合に異常を検出した際に、それぞれの異常を表わす警報パケットであって前記第２の変換装置により破棄される警報パケットを生成し、
該警報パケットを中継地または他の中継器を含む光ファイバ伝送路を介して前記第２の変換装置に送信し、
その際、中継地では、前記第１の変換装置または前記第１の中継器もしくは他の中継地からの警報パケットが自装置を通過する際に、その通過を表わす識別符号を付与して転送することを特徴とするＬＡＮ間接続システムにおける警報転送方式。
【請求項１０】  請求項９に記載の警報転送方式において、
前記第２の変換装置は、前記第１の変換装置または前記中継装置の第１もしくは第２の中継器からの警報パケットを光ファイバ伝送路から受けて、その警報パケットが前記第１の変換装置または前記中継装置の第１もしくは第２の中継器のいずれの装置からのものであるかを判定するとともにその異常を判定した後に、警報パケットを破棄し、さらに警報パケットの判定結果により表わされる警報を外部に出力して報知することを特徴とするＬＡＮ間接続システムにおける警報転送方式。
【請求項１１】  請求項１０に記載の警報転送方式において、
前記警報パケットは、前記第２の変換装置において転送処理するデータフレームの最短パケット長よりもさらに短いパケット長に形成されたパケットであり、前記第２の変換装置は、警報パケットのパケット長を判定して、その長さから異常パケットとして破棄することを特徴とするＬＡＮ間接続システムにおける警報転送方式。
【請求項１２】  請求項１０に記載の警報転送方式において、
前記警報パケットは、前記第２の変換装置において転送処理するデータフレームのパケット長と同様の長さのパケットであって、その誤り訂正符号に強制的に誤りを含ませたパケットであり、前記第２の変換装置は、警報パケットの誤りを判定して、その結果から異常と判定して破棄することを特徴とするＬＡＮ間接続システムにおける警報転送方式。
【請求項１３】  請求項９ないし請求項１２のいずれかに記載の警報転送方式において、
前記第１の変換装置と前記中継装置の第１および第２の中継器は、さらに自装置の電源が正常であるか否かを監視して、その異常を検出した際にその警報を表わす警報パケットを生成して、これを光ファイバ伝送路を介して前記第２の変換装置に送信することを特徴とするＬＡＮ間接続システムにおける警報転送方式。
【発明の詳細な説明】
【０００１】
【発明の属する技術分野】
本発明は、ＬＡＮ間接続システムおよびその警報転送方式に係り、特に、たとえばイーサネットフレームを伝送するＬＡＮ間接続システムおよびその警報転送方式に関するものである。
【０００２】
【従来の技術】
近年、ＬＡＮ(local area network)技術をベースとした広域ＬＡＮが各地域にそれぞれ構築されて、これらをさらに高速広帯域の基幹網により接続した広域網が全国規模において展開されて、その実用化が図られつつある。その伝送路基盤としては光ファイバが適用されて、いわゆるＦＴＴＯ(fiber
to the office) あるいはＦＴＴＨ(fiber to the home) と呼ばれるユーザ接続まで拡張したネットワークサービスが提供されるようになってきた。
【０００３】
また、周知のように、ＬＡＮ同士を接続するＬＡＮ間接続装置としては、ＯＳＩ(open
systems interconnection)モデルのデータリンク層レベルでの接続をするブリッジと、ネットワーク層レベルでの接続をするルータと、トランスポート層以上の上位レベルでの接続をするゲートウェイなどが知られている。特に、ブリッジ方式のＬＡＮ間接続は、共通のデータリンク層を介して接続するため、ＴＣＰ／ＩＰ(transmission
control protocol/internet protocol) などの上位のプロトコルに関係なくＬＡＮ同士を安価な装置により接続することができる。
【０００４】
【発明が解決しようとする課題】
ところで、ユーザＬＡＮを上記のような通信事業者の広域ＬＡＮに中継地を介した光ファイバ伝送路により接続する場合に、光ファイバ伝送路の宅内側の終端点に通信事業者の責任分解点が位置付けられ、中継地を含むその終端点までの保守および監視機能が必要となってくる。しかしながら、上述のような従来のＬＡＮ間接続装置では、ユーザ宅の終端装置および中継装置に十分な保守監視機能がなく、その開発が望まれていた。特に、ブリッジ方式の終端装置をそれぞれの終端点に適用した場合に、その装置では同報を表わすブロードキャスティングフレームを通過させてしまうという欠点があった。このため、たとえば宅内側の異常または中継点での異常を通信事業者側に通知する場合に、宅内側において警報パケットを生成して通信事業者側に送る際に、その警報パケットがそれぞれのＬＡＮ側まで通過してしまうおそれがあり、さらに他の網に流出したパケットが通信に悪影響を及ぼすなどの問題が生じるおそれがあった。また、中継地に設置した中継装置においても障害を通知する機能が必要となってくる。その際、ユーザＬＡＮと中継地の間の障害であるのか、または通信事業者までの伝送路において生じた障害であるのかを区別する機能が必要となるなどの課題があった。
【０００５】
本発明は、上記のような課題に鑑みてなされたものであり、ユーザＬＡＮを通信事業者の広域ＬＡＮに安価な装置によりＬＡＮ間接続することができ、さらに宅内側および中継地での異常を通信事業者側に有効に知らせることができるＬＡＮ間接続システムおよびその警報転送方式を提供することを目的とする。
【０００６】
【課題を解決するための手段】
本発明によるＬＡＮ間接続システムは上述の課題を解決するために、中継地を含む光ファイバ伝送路により少なくとも２つのＬＡＮを接続するＬＡＮ間接続システムにおいて、一方のＬＡＮは、その入出力の異常を表わす警報パケットを前記中継地を含む光ファイバ伝送路を介して他方のＬＡＮに転送する警報転送制御手段を含み、前記中継地は、その入出力の異常を表わす警報パケットを光ファイバ伝送路を介して他方のＬＡＮに転送する警報転送制御手段と、前記一方のＬＡＮからの警報パケットに自装置の通過を表わす識別符号を付与する識別符号付与手段とを含み、他方のＬＡＮは、光ファイバ伝送路を介して受けた警報パケットが一方のＬＡＮまたは中継地のいずれからのものであるかを判定し、その警報パケットを破棄するとともに警報出力をする警報制御手段とを含むことを特徴とする。
【０００７】
有利には、ユーザＬＡＮ１０と通信事業者の広域ＬＡＮ２０とを少なくとも１以上の中継地３０を介して光ファイバ伝送路４０により接続するＬＡＮ間接続システムであって、ユーザ宅内に設置されてユーザＬＡＮと光ファイバ伝送路との間に伝送するデータフレームを電気−光変換してそのデータフレームを媒体アクセス制御により転送する第１の変換装置５０と、通信事業者側に設置されて広域ＬＡＮと光ファイバ伝送路との間に伝送する所定のデータフレームを電気―光変換してそのデータフレームを媒体アクセス制御により転送する第２の変換装置６０と、光ファイバ伝送路のそれぞれの中継地に電気伝送路３００により相互に接続されて設置された第１および第２の中継器を含む中継装置であって光ファイバ伝送路４０からのデータフレームを一旦電気信号に変換して再び光ファイバ伝送路により伝送する光信号に変換して転送する中継装置７０とを有し、第１の変換装置５０と中継装置の第１および第２の中継器８０、９０は、それぞれ自装置へのデータフレームの入出力状態を監視して、その異常を検出した際にそれぞれの異常を表わす警報パケットであって第２の変換装置６０により破棄される警報パケットを中継地３０または他の中継器を含む光ファイバ伝送路を介して第２の変換装置６０に転送する警報転送制御手段５１２、８１２、９１２を含み、さらに中継装置７０の第１および第２の中継器８０、９０は、第１の変換装置５０または第１の中継器８０から第２の変換装置６０に転送する警報パケットが自装置を通過する際に、その警報パケットに自装置の通過を表わす識別符号を付与する識別符号付与手段８４２、９４２を含み、第２の光変換装置６０は、第１の光変換装置５０または中継装置の第１の中継器８０もしくは第２の中継器９０からの警報パケットを光ファイバ伝送路から受けてその警報パケットが第１の光変換装置または中継装置の第１もしくは第２の中継器のいずれからのものであるかを判定し、さらに異常を判定してその警報パケットにより表わされる警報を外部に出力する警報出力制御手段６４０とを含むことを特徴とする。
【０００８】
この場合、警報パケットは、第２の変換装置６０において転送処理するデータフレームの最短パケット長よりもさらに短いパケット長に形成されたパケットであって、少なくとも警報の種別を表わす所定のパターンと、第１の変換装置５０または中継装置の第１もしくは第２の中継器８０、９０のいずれの装置から発生された警報パケットであるかを表わす所定の識別符号ＩＤとを含むものであるとよい。
【０００９】
また、警報パケットは、第２の変換装置６０において転送処理するデータフレームのパケット長と同様の長さのパケットであり、少なくとも警報の種別を表わす所定のパターンと、第１の変換装置５０または中継装置７０のいずれの装置から発生された警報パケットであるかを表わす識別符号と、警報パケットの誤り訂正符号であってその符号に強制的に誤りを含ませた誤り訂正符号とを含むパケットであってもよい。
【００１０】
さらに、第１の変換装置５０と中継装置の第１および第２の中継器８０、９０は、識別符号として同じ値の符号を警報パケットに付加して送信し、中継装置の第１および第２の中継器は、それぞれの装置から転送された警報パケットが自装置を通過する際に、その識別符号に所定の値を加算して転送するとよい。
【００１１】
これらの場合、第１の変換装置５０は、ユーザＬＡＮ１０と接続された電気物理層を終端する電気物理層終端手段５０２と、光ファイバ伝送路４０と接続された光物理層を終端する光物理層終端手段５０８と、それら終端手段間においてデータフレームをそのＭＡＣアドレスに従って転送するＭＡＣスイッチ５０４と、ＭＡＣスイッチと光物理層終端手段５０８との間において警報転送制御手段５１２からの警報パケットを光ファイバ伝送路への送信経路に挿入する警報パケット挿入手段５０６とを含み、警報転送制御手段５１２は少なくとも、電気物理層終端手段５０２でのユーザＬＡＮとのリンク状態を監視する第１の監視手段５３０と、光物理層終端手段での光ファイバ伝送路とのリンク状態を監視する第２の監視手段５３２と、自装置の電源が正常であるか否かを監視する第３の監視手段５３４と、それぞれの監視手段のいずれかにおいて異常を検出した際にその異常を表わす警報パケットを生成するパケット生成手段５３６とを含むと有利である。
【００１２】
また、中継装置の第１および第２の中継器８０、９０はそれぞれ、電気伝送路と接続された電気物理層を終端する電気物理層終端手段８０８、９０２と、光ファイバ伝送路と接続された光物理層を終端する光物理層終端手段８０２、９０８と、それら終端手段間において警報転送制御手段８１２、９１２からの警報パケットを第２の変換装置６０への送信経路に挿入する警報パケット挿入手段８０６。９０６と、終端手段間において第１の変換装置５０または第１の中継器８０からの警報パケットをその受信経路から検出する警報パケット検出手段８０４、９０４とを含み、警報転送制御手段８１２、９１２は少なくとも、電気物理層終端手段での電気伝送路とのリンク状態を監視する第１の監視手段８３０、９３０と、光物理層終端手段での光ファイバ伝送路とのリンク状態を監視する第２の監視手段８３２、９３２と、自装置の電源が正常であるか否かを監視する第３の監視手段８３４、９３４と、それぞれの監視手段のいずれかにおいて異常を検出した際にその異常を表わす警報パケットを生成するパケット生成手段８３６、９３６とを含み、識別符号付与手段８４２、９４２は、警報パケット検出手段８０４、９０４により検出した第１の変換装置または第１の中継器からの警報パケットの識別符号に所定の値を加算して自装置を通過したことを表わす識別符号を生成する加算手段を含むと有利である。
【００１３】
さらに、第２の変換装置６０は、広域ＬＡＮ２０と接続された電気物理層を終端する電気物理層終端手段６０８と、光ファイバ伝送路４０と接続された光物理層を終端する光物理層終端手段６０２と、それら終端手段間においてデータフレームをそのＭＡＣアドレスに従って転送するＭＡＣスイッチ６０６と、ＭＡＣスイッチと光物理層終端手段との間において第１の変換装置５０または中継装置の第１もしくは第２の中継器８０、９０からの警報パケットをその受信経路から警報出力制御手段６１２に供給する警報パケット検出手段６０４とを含み、警報出力制御手段６１２は少なくとも、警報パケット検出手段６０４からの警報パケットが第１の変換装置５０または中継装置７０のいずれの装置からの警報パケットであるかを判定する識別符号判定手段６５２と、その装置でのいずれの異常を表わすかを判定する警報判定手段６５０と、それらの結果に基づいて警報を発生する警報発生手段６４０とを含むと有利である。
【００１４】
一方、本発明による警報転送方式は、ユーザＬＡＮと通信事業者の広域ＬＡＮとを少なくとも１以上の中継地を含む光ファイバ伝送路を介して接続するＬＡＮ間接続システムにおける警報転送方式であって、ユーザ宅内側にユーザＬＡＮと光ファイバ伝送路との間に伝送するデータフレームを電気−光変換してそのデータフレームを媒体アクセス制御により転送する第１の変換装置を用意し、通信事業者側に広域ＬＡＮと光ファイバ伝送路との間に伝送する所定のデータフレームを電気−光変換してそのデータフレームを媒体アクセス制御により転送する第２の変換装置を用意し、さらにそれぞれの中継地に電気伝送路により接続された第１および第２の中継器を含む中継装置であって光ファイバ伝送路からのデータフレームを電気信号に一旦変換して再び光ファイバ伝送路により伝送する光信号に変換して転送する中継装置を用意し、第１の変換装置において、少なくともユーザＬＡＮからのデータフレームの入力状態および光ファイバ伝送路からのデータフレームの入力状態をそれぞれ監視するとともに、中継装置の第１および第２の中継器において、光ファイバ伝送路または電気伝送路からのデータフレームの入力状態をそれぞれ監視し、それらの監視の際に異常を検出した場合に、それぞれの異常を表わす警報パケットであって第２の変換装置により破棄される警報パケットを生成し、警報パケットを中継地または他の中継器を含む光ファイバ伝送路を介して第２の変換装置に送信し、その際、中継地では、第１の変換装置または第２の中継器からの警報パケットが自装置を通過する際に、その通過を表わす識別符号を付与して転送することを特徴とする。
【００１５】
この場合、第２の変換装置は、第１の変換装置または中継装置の第１もしくは第２の中継器からの警報パケットを光ファイバ伝送路から受けて、その警報パケットが第１の変換装置または中継装置の第１もしくは第２の中継器のいずれの装置からのものであるかを判定するとともにその異常を判定した後に、警報パケットを破棄し、さらに警報パケットの判定結果により表わされる警報を外部に出力して報知するとよい。
【００１６】
また、警報パケットは、第２の変換装置において転送処理するデータフレームの最短パケット長よりもさらに短いパケット長に形成されたパケットであり、第２の変換装置は、警報パケットのパケット長を判定して、その長さから異常パケットとして破棄するとよい。
【００１７】
さらに、警報パケットは、第２の変換装置において転送処理するデータフレームのパケット長と同様の長さのパケットであって、その誤り訂正符号に強制的に誤りを含ませたパケットであり、第２の変換装置は、警報パケットの誤りを判定して、その結果から異常パケットと判定して破棄してもよい。
【００１８】
これらの場合、第１の変換装置と中継装置の第１および第２の中継器は、さらに自装置の電源が正常であるか否かを監視して、その異常を検出した際にその警報を表わす警報パケットを生成して、これを光ファイバ伝送路を介して第２の変換装置に送信するとよい。
【００１９】
【発明の実施の形態】
次に、添付図面を参照して本発明によるＬＡＮ間接続システムおよびその警報転送方式の実施の形態を詳細に説明する。図１には、本発明によるＬＡＮ間接続システムの一実施形態が示されている。本実施形態によるＬＡＮ間接続システムは、図４に示すように、たとえば５０ｋｍ以上離れたユーザＬＡＮ１０と通信事業者の広域ＬＡＮ２０とを中継地３０を介した光ファイバ伝送路４０，４０により接続する加入者アクセス系のユーザ・網インタフェースであり、本実施形態では、光ファイバ伝送路４０，４０と、宅内側に接続された光変換リピータ（第１のメディアコンバータ（ＭＣ））５０と、局側に接続された光変換ブリッジ（第２のメディアコンバータ（ＭＣ））６０と、中継地３０に設置された第１および第２の中継器（第３および第４のメディアコンバータ（ＭＣ））８０，９０を含む中継装置７０とを有するブリッジ方式のＬＡＮ間接続システムである。
【００２０】
特に、本実施形態では、宅内側の光変換リピータ５０ならびに中継装置７０の第１および第２の中継器８０，９０においてユーザＬＡＮ１０あるいは光ファイバ伝送路４０，４０とのリンク断などの異常を検出した際に、その異常を表わす警報パケットであってＬＡＮにより転送するイーサネットフレームの最短パケット長よりも短い警報パケットを生成して、その警報パケットを局側の光変換ブリッジ６０に転送し、その際、中継器８０，９０において下位の装置からの警報パケットに自装置を通過したことを表わす識別符号を付与して転送する本願特有の警報転送方式を適用した点が主な特徴点である。
【００２１】
各部の詳細を説明すると、ユーザＬＡＮ１０は、本実施形態では複数のパーソナルコンピュータなどのデータ端末が接続された１０Ｂａｓｅ−Ｔあるいは１００Ｂａｓｅ−ＴのイーサネットＬＡＮであり、有利には、通信事業者との帯域契約により１０Ｍｂｐｓから１００Ｍｂｐｓまでの任意の伝送帯域が選択されて本実施形態のＬＡＮ間接続システムにより広域ＬＡＮ２０に接続されるとよい。このユーザＬＡＮ１０は、たとえば図１に示すように、ハブあるいはルータ１００を介して光変換リピータ５０に接続されている。一方、広域ＬＡＮ２０は、たとえば数Ｇｂｐｓの伝送帯域を有するイーサネットベースの高速広帯域のＬＡＮであり、たとえば地域毎に複数のユーザＬＡＮ１０を収容してさらに１００Ｇｂｐｓクラスの基幹網を介して各地域に接続するＷＡＮ(wide area network) を形成している。この広域ＬＡＮ２０は、ルータ２００を介して光変換ブリッジ６０に接続されている。
【００２２】
ルータ１００，２００は、ネットワーク層レベルのスイッチであり、たとえば本実施形態において伝送するイーサネットフレーム中のＩＰ(Internet protocol) アドレスに従って経路を振り分けるＬＡＮ間接続装置である。イーサネットフレームは、図８に示すように、同期信号を表わすプリアンブルＰＡと、８ビットのフレーム開始デリミタＳＦＤと、隣接する次の宛先を表わす宛先ＭＡＣ(media
access control)  アドレスＤＡと、送信元アドレスを表わす送信元ＭＡＣアドレスＳＡと、データ長またはデータタイプを表わすレングスタイプＬＴと、ＩＰヘッダを含む４６〜１５００オクテットの可変長の送信データＤＴと、宛先ＭＡＣアドレスＤＡからデータＤＴまでの長さが６４オクテット未満の際に付加されて６４オクテットの長さに調整するパッドＰＡＤと、ＣＲＣ(cyclic
redundancy check) 符号などのフレームのエラー検出のためのフレームチェックシーケンスＦＣＳとを含む。本実施形態のＬＡＮ間接続システムは、宛先ＭＡＣアドレスＤＡと、送信元ＭＡＣアドレスＳＡと、レングスタイプＬＴとからなるイーサネットヘッダに基づいてそれぞれのイーサネットフレームを転送するブリッジ方式のＬＡＮ間接続システムである。
【００２３】
より詳細には、本実施形態による光変換リピータ５０は、ユーザ宅内に設置されてユーザＬＡＮ１０のルータ１００からのイーサネットフレームおよび光ファイバ伝送路４０を介して転送された広域ＬＡＮ２０からのイーサネットフレームをそのＭＡＣアドレスに従って相互に転送するブリッジ方式の接続装置であり、本実施形態ではルータ１００からのより対線などの電気伝送路と光ファイバ伝送路４０との間のイーサネットフレームの電気−光変換をして媒体アクセス制御する光コンバータである。より具体的には、本実施形態の光変換リピータ５０は、たとえば図２に示すように、電気物理層終端部（ＰＨＹ−Ｅ）５０２と、ＭＡＣスイッチ５０４と、警報パケット挿入部５０６と、光物理層終端部（ＰＨＹ−Ｏ）５０８と、電源部５１０と、制御部５１２とを含む。
【００２４】
電気物理層終端部５０２は、ルータ１００との間において送受信するイーサネットフレームを終端するレイヤ１の終端回路であり、より正確には、１０／１００Ｂａｓｅ−Ｔ共通に接続可能なコネクタと、フレームの波形整形などの処理をするＰＨＹチップと、コネクタとＰＨＹチップとの間の整合をとるトランスとを含む。特に、ＰＨＹチップは、ユーザＬＡＮ１０からの入力フレームに応じた電流波形を検出する信号検出部を有し、その検出状態に基づいてユーザＬＡＮ１０とのリンク状態を表わす内容が設定される内部レジスタを含む。このＰＨＹチップは、制御線によって制御部５１２に接続され、フレームを転送する往路線および復路線によってＭＡＣスイッチ５０４に接続されている。
【００２５】
ＭＡＣスイッチ５０４は、イーサネットフレームのＭＡＣアドレスに従ってフレームを転送する転送処理部であり、本実施形態では、ユーザＬＡＮ１０の帯域に応じて１０Ｂａｓｅ−Ｔと１００Ｂａｓｅ−Ｔの切り替えが可能な帯域切替機能を有している。より有利には、２個のスイッチを直列に接続して、それらに共通の発振器により動作周波数を切り替えてユーザＬＡＮ１０の伝送速度に応じた転送処理を行なってもよい。このＭＡＣスイッチ５０４は、警報パケット挿入部５０６を介して往路線および復路線によって光物理層終端部５０８に接続されている。警報パケット挿入部５０６は、警報転送の際に制御部５１２からの警報パケットを往路線に挿入する本実施形態特有の部位であり、本実施形態ではＭＡＣスイッチ５０４から光物理層終端部５０８への往路線に設けられた切替スイッチ（ＳＷ−Ｃ）５２０と、光物理層終端部５０８からＭＡＣスイッチ５０４への復路線に共通接続された検出線５２２とを含む。検出線５２２は、本実施形態には直接関係ないが、たとえば光変換ブリッジ６０からの遠隔操作の際の制御パケットなどを取り込む部位である。
【００２６】
光物理層終端部５０８は、光ファイバ伝送路４０との間において送受信するイーサネットフレームを終端するレイヤ１の終端回路であり、より正確には、電気−光変換回路を含む光ファイバ伝送路４０とのラインインタフェースと、電気信号に変換されたフレームの波形整形などの処理をするＰＨＹチップとを含む。特に、ＰＨＹチップは、光ファイバ伝送路４０を介して入力するフレームに応じた電流波形を検出する信号検出部を有し、その検出状態に基づいて光ファイバ伝送路４０とのリンク状態を表わす内容が設定される内部レジスタを含む。このＰＨＹチップは、制御線によって制御部５１２に接続されて、その内部レジスタの内容を制御部５１２に供給する。
【００２７】
一方、電源部５１０は、たとえば交流１００Ｖまたは直流−４８Ｖの入力電源に接続されて、上記各部にたとえば直流３Ｖ〜５Ｖの電源電圧を供給する電源回路であり、本実施形態では、入力電源からの電力供給が正常であるか否かを制御線を介して制御部５１２に供給する入力検出回路を含む。ちなみに、本実施形態ではバッテリなどの補助電源を含み、入力電源が断となった際に切り替えられて警報転送の際の動作電源が確保される。他方、制御部５１２は、本実施形態では主に警報転送を制御する警報転送制御部であり、電気物理層終端部５０２と、光物理層終端部５０８と、電源部５１０とをそれぞれ監視して異常を検出した際にその異常を表わす警報パケットを送出する。たとえば図５には、本実施形態による制御部５１２の機能ブロックが示されている。この図において、ユーザリンク監視部５３０は、電気物理層終端部５０２の内部レジスタの内容を受けて、ユーザＬＡＮ１０との電気インタフェースがリンク断となっているか否かを監視する第１の監視部であり、内部レジスタの内容がリンク断を表わしている場合にその結果をパケット生成部５３６に通知する。ラインリンク監視部５３２は、光物理層終端部５０８の内部レジスタの内容を受けて、光ファイバ伝送路４０とのラインインタフェースがリンク断となっているか否かを監視する第２の監視部であり、内部レジスタの内容がリンク断を表わしている場合にその結果をパケット生成部５３６に通知する。電源監視部５３４は、電源部５１０の入力電源が断となっているか否かを監視する第３の監視部であり、入力電源が断となった場合にその結果をパケット生成部５３６に通知する。それぞれの監視部５３０，５３２，５３４は、それぞれの異常が復旧した場合には、その結果をパケット生成部５３６にそれぞれ通知する。
【００２８】
パケット生成部５３６は、それぞれの監視部５３０，５３２，５３４からの通知を受けて、本実施形態特有の警報パケットを生成する部位であり、本実施形態では、それぞれの個所の異常が復旧するまでその警報パケットを繰り返し生成して送信する。本実施形態の警報パケットは、ユーザ側の電気インタフェースのリンク断を表わすＵＮＲパケットと、光ファイバ伝送路４０とのラインインタフェースのリンク断を表わすＳＥＮＤパケットと、それらがともにリンク断となったことを表わすＳＥＮＤ−ＵＮＲパケットと、電源断を表わすＲ−ＩＮＨパケットと、電源の復旧を表わすＲ−ＩＮＨ解除パケットとを含む。それぞれの警報パケットは、図８に示すイーサネットフレームよりも短いパケット長に形成されて、たとえば図９に示すように、ＳＥＮＤパケットがデータパターンとして「０１１１」、ＵＮＲパケットが「１０００」、Ｒ−ＩＮＨパケットが「１００１」、ＳＥＮＤ−ＵＮＲパケットが「０１００」の繰り返しによるそれぞれ４バイトのパターンＰＴがそれぞれ設定される。また、Ｒ−ＩＮＨ解除パケット以外のそれぞれの警報パケットは、本実施形態特有の装置識別を表わす１バイトの識別符号ＩＤがそれぞれ付与されて、合計５バイトまたは４バイトのパケット長に形成される。本実施形態では、識別符号ＩＤは、それぞれの装置共通の符号、たとえば「０００１」が設定されて、後述するように上位装置を通過した際にそれぞれ「０００１」づつ加算されて転送される。光変換リピータ５０の制御部５１２により生成された警報パケットは、それぞれ警報パケット挿入部５０６の切替スイッチ５２０から往路線に挿入されて送信される。
【００２９】
また、図５において、タイマ５３８は、パケット生成部５３６での警報パケットの送出タイミングを計る計時回路であり、本実施形態では、パケット間の所定のギャップ、たとえば９６０ｎｓの間隔を表わすタイミング信号をパケット生成部５３６に供給する。パケット生成部５３６は、そのタイミング信号に応動して警報パケットを生成する。この場合、たとえばＳＥＮＤパケットを送信している際にユーザリンク監視部５３０から通知を受けると、ＳＥＮＤパケットからＳＥＮＤ−ＵＮＲパケットに切り替えて送信する。また、ＵＮＲパケットを送信している際にラインリンク監視部５３２から通知を受けると、ＵＮＲパケットからＳＥＮＤ−ＵＮＲパケットに切り替えて送信する。一方、ＬＥＤ制御部５４０は、警報パケットの送信に応動して、ユーザ側のリンク断またはライン側のリンク断もしくは電源断となった場合に、図示しない複数のＬＥＤをそれぞれの異常に応じて点灯もしくは消灯するＬＥＤ駆動回路である。
【００３０】
図１に戻って、本実施形態による中継装置７０は、光ファイバ伝送路４０，４０を介してユーザＬＡＮ１０と広域ＬＡＮ２０との間において相互に転送されるイーサネットフレームを中継する接続装置であり、本実施形態では、電気伝送路３００により相互に接続された第１の中継器８０と第２の中継器９０とを含む。本実施形態の第１の中継器８０は、光変換リピータ５０からの光ファイバ伝送路４０と第２の中継器９０からの電気伝送路３００との間を伝送するフレームを光−電気変換して転送する変換装置であり、本実施形態では、同図に示すように、光物理層終端部（ＰＨＹ−Ｏ）８０２と、警報パケット検出部８０４と、警報パケット挿入部８０６と、電気物理層終端部（ＰＨＹ−Ｅ）８０８と、電源部８１０と、制御部８１２とを含む。
【００３１】
光物理層終端部８０２は、光ファイバ伝送路４０との間において送受信するイーサネットフレームを終端するレイヤ１の終端回路であり、正確には、電気−光変換回路を含む光ファイバ伝送路４０とのラインインタフェースと、電気信号に変換されたフレームの波形整形などの処理をするＰＨＹチップとを含む。特に、ＰＨＹチップは、光ファイバ伝送路４０を介して入力するフレームに応じた電流波形を検出する信号検出部を有し、その検出状態に基づいて光ファイバ伝送路４０とのリンク状態を表わす内容が設定される内部レジスタを含む。このＰＨＹチップは、制御線によって制御部８１２に接続され、また警報パケット検出部８０４と警報パケット挿入部８０６を介した往路線および復路線により電気物理層終端部８０８に接続されている。
【００３２】
警報パケット検出部８０４は、光変換リピータ５０から光ファイバ伝送路４０を介して転送された警報パケットを光物理層終端部８０２から電気物理層終端部８０８への往路線から検出して制御部８１２に供給し、さらに識別符号ＩＤが加算された警報パケットを再び往路線に挿入する本実施形態特有の部位であり、本実施形態では、光物理層終端部８０２から電気物理層終端部８０８への往路線に共通接続された検出線８２０を含む。その往路線は、警報パケット挿入部８０６を介して電気物理層終端部８０８に接続されている。警報パケット挿入部８０６は、自装置からの警報転送の際に制御部８１２によって生成した警報パケットを往路線に挿入する本実施形態特有の部位であり、本実施形態では光物理層終端部８０２から電気物理層終端部８０８への往路線に設けられた切替スイッチ（ＳＷ−Ｃ）８２２を含む。
【００３３】
電気物理層終端部８０８は、電気伝送路３００との間において送受信するイーサネットフレームを終端するレイヤ１の終端回路であり、本実施形態では、電気伝送路３００に接続された電気インタフェースと、フレームの波形整形などの処理をするＰＨＹチップと、電気インタフェースとＰＨＹチップとの間の整合をとるトランスとを含む。特に、ＰＨＹチップは、電気伝送路３００からのフレームに応じた電流波形を検出する信号検出部を有し、その検出結果に基づいて電気インタフェースとのリンク状態を表わす内容が設定される内部レジスタを含む。このＰＨＹチップは、制御線により制御部８１２に接続されて、その内部レジスタの内容が制御部８１２に供給される。一方、電源部８１０は、たとえば交流１００Ｖまたは直流−４８Ｖの入力電源に接続されて、上記各部にたとえば直流３Ｖ〜５Ｖの電源電圧を供給する電源回路であり、本実施形態では、入力電源からの電力供給が正常であるか否かを制御線を介して制御部８１２に供給する入力検出回路を含む。ちなみに、本実施形態ではバッテリなどの補助電源を含み、入力電源が断となった際に切り替えられて警報出力の際の動作電源が確保される。
【００３４】
他方、制御部８１２は、本実施形態では主に警報転送を制御する警報転送制御部であり、電気物理層終端部８０２と、光物理層終端部８０８と、電源部８１０とをそれぞれ監視して異常を検出した際にその異常を表わす警報パケットを送出する。たとえば図７には、本実施形態による制御部８１２の機能ブロックが示されている。この図において、ラインリンク監視部８３２は、光物理層終端部８０２の内部レジスタの内容を受けて、光ファイバ伝送路との光インタフェースがリンク断となっているか否かを監視する第１の監視部であり、内部レジスタの内容がリンク断を表わしている場合にその結果をパケット生成部８３６に通知する。ユーザリンク監視部８３０は、電気物理層終端部８０８の内部レジスタの内容を受けて、電気伝送路３００とのラインインタフェースがリンク断となっているか否かを監視する第２の監視部であり、内部レジスタの内容がリンク断を表わしている場合にその結果をパケット生成部８３６に通知する。電源監視部８３４は、電源部８１０の入力電源が断となっているか否かを監視する第３の監視部であり、入力電源が断となった場合にその結果をパケット生成部８３６に通知する。それぞれの監視部８３０，８３２，８３４は、それぞれの異常が復旧した場合には、その結果をパケット生成部８３６にそれぞれ通知する。
【００３５】
パケット生成部８３６は、それぞれの監視部８３０，８３２，８３４からの通知を受けて、本実施形態特有の警報パケットを生成する部位であり、本実施形態では、それぞれの個所の異常が復旧するまでその警報パケットを繰り返し生成して送信する。本実施形態の警報パケットは、光変換リピータ５０と同様に、ユーザ側の電気インタフェースのリンク断を表わすＵＮＲパケットと、光ファイバ伝送路４０とのラインインタフェースのリンク断を表わすＳＥＮＤパケットと、それらがともにリンク断となったことを表わすＳＥＮＤ−ＵＮＲパケットと、電源断を表わすＲ−ＩＮＨパケットと、電源の復旧を表わすＲ−ＩＮＨ解除パケットとを含む。それぞれの警報パケットは、光変換リピータ５０と同様に、図８に示す用に、所定のパターンＰＴと識別符号ＩＤとを含む。生成された警報パケットは、それぞれ警報パケット挿入部８０６の切替スイッチ８２２から往路線に挿入されて送信される。
【００３６】
図７に戻って、タイマ８３８は、パケット生成部８３６での警報パケットの送出タイミングを計る計時回路であり、本実施形態では、パケット間の所定のギャップ、たとえば９６０ｎｓの間隔を表わすタイミング信号をパケット生成部８３６に供給する。パケット生成部８３６は、そのタイミング信号に応動して警報パケットを生成する。この場合、たとえばＳＥＮＤパケットを送信している際にユーザリンク監視部８３０から通知を受けると、ＳＥＮＤパケットからＳＥＮＤ−ＵＮＲパケットに切り替えて送信する。また、ＵＮＲパケットを送信している際にラインリンク監視部８３２から通知を受けると、ＵＮＲパケットからＳＥＮＤ−ＵＮＲパケットに切り替えて送信する。一方、ＬＥＤ制御部８４０は、警報パケットの送信に応動して、ユーザ側のリンク断またはライン側のリンク断もしくは電源断となった場合に、図示しない複数のＬＥＤをそれぞれの異常に応じて点灯もしくは消灯するＬＥＤ駆動回路である。他方、装置識別コード生成部８４２は本実施形態特有の部位であり、警報パケット検出部８０４により検出した光変換リピータ５０からの警報パケットにその通過を表わす識別符号を付与する回路である。たとえば、本実施形態では、検出した警報パケットの識別符号に「０００１」を加算する加算回路を含む。識別符号が付与された警報パケットは、切替スイッチ８２２への往路線に再び挿入されて第２の中継器９０に転送される。
【００３７】
再び図１に戻って、本実施形態による第２の中継器９０は、第１の中継器８０からの電気伝送路３００と光変換ブリッジ６０からの光ファイバ伝送路４０との間を伝送するフレームを光−電気変換して転送する接続装置であり、第１の中継器８０とほぼ対称的に形成されて、同図に示すように、電気物理層終端部９０２と、警報パケット検出部９０４と、警報パケット挿入部９０６と、光物理層終端部９０８と、電源部９１０と、制御部９１２とを含む。電気物理層終端部９０２は、電気伝送路３００との間において送受信するイーサネットフレームを終端するレイヤ１の終端回路であり、第１の中継器８０の電気物理層終端部８０８と同様に、電気伝送路３００に接続する電気インタフェースと、フレームの波形整形などの処理をするＰＨＹチップと、コネクタとＰＨＹチップとの間の整合をとるトランスとを含む。特に、ＰＨＹチップは、電気伝送路３００からの入力フレームに応じた電流波形を検出する信号検出部を有し、その検出状態に基づいて電気伝送路３００とのリンク状態を表わす内容が設定される内部レジスタを含む。このＰＨＹチップは、制御線によって制御部９１２に接続され、また警報パケット検出部９０４と警報パケット挿入部９０６を介した往路線および復路線により光物理層終端部９０８に接続されている。
【００３８】
警報パケット検出部９０４は、光変換リピータ５０から第１の中継器８０を介して転送された警報パケットを電気物理層終端部９０２から光物理層終端部９０８への往路線から検出して制御部９１２に供給し、さらに識別符号が加算された警報パケットを再び往路線に挿入する本実施形態特有の部位であり、本実施形態では、電気物理層終端部９０２からの往路線に共通接続された検出線９２０を含む。その往路線は、警報パケット挿入部９０６を介して光物理層終端部９０８に接続されている。警報パケット挿入部９０６は、自装置からの警報転送の際に制御部９１２によって生成した警報パケットを往路線に挿入する本実施形態特有の部位であり、本実施形態では電気物理層終端部９０２から光物理層終端部９０８への往路線に設けられた切替スイッチ（ＳＷ−Ｃ）９２２を含む。
【００３９】
光物理層終端部９０８は、光変換ブリッジ６０への光ファイバ伝送路４０との間において送受信するイーサネットフレームを終端するレイヤ１の終端回路であり、本実施形態では、第１の中継器８０の光物理層終端部８０２と同様に、光ファイバ伝送路４０に接続されたラインインタフェースと、フレームの波形整形などの処理をするＰＨＹチップと、ラインインタフェースとＰＨＹチップとの間の整合をとるトランスとを含む。特に、ＰＨＹチップは、光ファイバ伝送路４０からのフレームに応じた電流波形を検出する信号検出部を有し、その検出結果に基づいて電気インタフェースとのリンク状態を表わす内容が設定される内部レジスタを含む。このＰＨＹチップは、制御線により制御部９１２に接続されて、その内部レジスタの内容が制御部９１２に供給される。一方、電源部９１０は、第１の中継器８０と同様に、交流１００Ｖまたは直流−４８Ｖの入力電源に接続されて、上記各部にたとえば直流３Ｖ〜５Ｖの電源電圧を供給する電源回路であり、本実施形態では、入力電源からの電力供給が正常であるか否かを制御線を介して制御部９１２に供給する入力検出回路を含む。ちなみに、本実施形態ではバッテリなどの補助電源を含み、入力電源が断となった際に切り替えられて警報出力の際の動作電源が確保される。
【００４０】
他方、制御部９１２は、第１の中継器８０の制御部８１２と同様に警報転送を制御する警報転送制御部であり、電気物理層終端部９０２と、光物理層終端部９０８と、電源部９１０とをそれぞれ監視して異常を検出した際にその異常を表わす警報パケットを送出する。本実施形態による制御部９１２の機能構成は、図７に示す第１の中継器８０の制御部８１２とほぼ同様に形成されており、電気物理層終端部９０２でのリンク状態を監視するユーザリンク監視部９３０と、光物理層終端部９０８でのリンク状態を監視するラインリンク監視部９３２と、電源状態を監視する電源監視部９３４と、これら監視部９３０，９３２，９３４からの異常検出により警報パケットを生成するパケット生成部９３６と、パケット生成のタイミングを計時するタイマ９３８と、異常検出の際にＬＥＤを制御するＬＥＤ制御部９４０と、警報パケットに識別符号を付与する識別コード生成部９４２とを含む。特に、識別コード生成部９４２は、光変換リピータ５０から第１の中継器８０を介して供給される警報パケット、または第１の中継器８０から供給される警報パケットに、その識別符号にさらに「０００１」を加算する加算回路を含む。
【００４１】
一方、本実施形態による光変換ブリッジ６０は、通信事業者側に設置されて広域ＬＡＮ２０のルータ２００からのイーサネットフレームおよび光ファイバ伝送路４０を介して転送されたユーザＬＡＮ１０からのイーサネットフレームをそのＭＡＣアドレスに従って相互に転送するＭＡＣブリッジであり、本実施形態では、ルータ２００からのより対線などの電気伝送路と光ファイバ伝送路４０との間のイーサネットフレームの電気−光変換をして媒体アクセス制御する光コンバータである。より具体的には、本実施形態の光変換ブリッジ６０は、図３に示すように、光物理層終端部（ＰＨＹ−Ｏ）６０２と、警報パケット検出部６０４とＭＡＣスイッチ６０６と、電気物理層終端部（ＰＨＹ−Ｅ）６０８と、電源部６１０と、制御部６１２とを含む。光物理層終端部６０２は、光ファイバ伝送路４０との間において送受信するイーサネットフレームを終端するレイヤ１の終端回路であり、正確には、電気−光変換回路を含む光ファイバ伝送路４０とのラインインタフェースと、電気信号に変換されたフレームの波形整形などの処理をするＰＨＹチップとを含む。特に、ＰＨＹチップは、光ファイバ伝送路４０を介して入力するフレームに応じた電流波形を検出する信号検出部を有し、その検出状態に基づいて光ファイバ伝送路４０とのリンク状態を表わす内容が設定される内部レジスタを含む。このＰＨＹチップは、制御線によって制御部６１２に接続され、また警報パケット検出部６０４を介して往路線および復路線によりＭＡＣスイッチ６０６に接続されている。
【００４２】
警報パケット検出部６０４は、光変換リピータ５０または第１もしくは第２の中継器８０，９０からの警報パケットを光物理層終端部６０２とＭＡＣスイッチ６０６との間の往路線から検出して制御部６１２に供給する本実施形態特有の部位であり、本実施形態では、光物理層終端部６０２からＭＡＣスイッチ６０６への往路線に共通接続された検出線６２０と、ＭＡＣスイッチ６０６から光物理層終端部６０２への復路線に設けられた切替スイッチ（ＳＷ−Ｃ）６２２とを含む。ちなみに、切替スイッチ６２２は、光変換リピータ５０を遠隔制御する場合に制御部６１２において生成された制御パケットを復路線に挿入する際に用いられる。ＭＡＣスイッチ６０６は、イーサネットフレームのＭＡＣアドレスに従ってフレームを転送する転送処理部であり、本実施形態では、たとえば２個のスイッチが直列に接続されて、広域ＬＡＮ２０側に流出するデータの帯域制限をする帯域制御機能を含むとよい。つまり、２個のスイッチが共通の発振器によりその動作周波数が決定されて、それぞれのバッファのデータの書込みおよび読出しを制御して、ユーザＬＡＮ１０側から流入するデータ帯域が契約帯域を越えた場合にそれらのフレームを破棄する処理を実行する。このＭＡＣスイッチ６０６は、往路線および復路線により電気物理層終端部６０８に接続されている。
【００４３】
電気物理層終端部６０８は、ルータ２００との間において送受信するイーサネットフレームを終端するレイヤ１の終端回路であり、本実施形態では、１０／１００Ｂａｓｅ−Ｔに共通のコネクタと、フレームの波形整形などの処理をするＰＨＹチップと、コネクタとＰＨＹチップとの間の整合をとるトランスとを含む。特に、ＰＨＹチップは、広域ＬＡＮ２０からのフレームに応じた電流波形を検出する信号検出部を有し、その検出結果に基づいて電気インタフェースとのリンク状態を表わす内容が設定される内部レジスタを含む。このＰＨＹチップは、制御線により制御部６１２に接続されて、その内部レジスタの内容が制御部６１２に供給される。一方、電源部６１０は、たとえば交流１００Ｖまたは直流−４８Ｖの入力電源に接続されて、上記各部にたとえば直流３Ｖ〜５Ｖの電源電圧を供給する電源回路であり、本実施形態では、入力電源からの電力供給が正常であるか否かを制御線を介して制御部６１２に供給する入力検出回路を含む。ちなみに、本実施形態ではバッテリなどの補助電源を含み、入力電源が断となった際に切り替えられて警報出力の際の動作電源が確保される。
【００４４】
他方、制御部６１２は、本実施形態では主に光変換リピータ５０または第１もしくは第２の中継器８０，９０からの警報パケットに基づいて、その警報パケットによって表わされるそれぞれの装置での異常を外部に出力する警報出力制御部であり、本実施形態では、自装置において異常を検出した場合の警報出力を含む。たとえば図６には、本実施形態による制御部６１２の機能ブロックが示されている。この図において、ラインリンク監視部６３０は、光物理層終端部６０２の内部レジスタの内容を受けて、光ファイバ伝送路４０とのラインインタフェースがリンク断となっているか否かを監視する第１の監視部であり、内部レジスタの内容がリンク断を表わしている場合にその結果を警報出力部６４０に通知する。局側リンク監視部６３２は、電気物理層終端部６０８の内部レジスタの内容を受けて、広域ＬＡＮ２０との電気インタフェースがリンク断となっているか否かを監視する第２の監視部であり、内部レジスタの内容がリンク断を表わしている場合にその結果を警報出力部６４０に通知する。電源監視部６３４は、電源部６１０の入力電源が断となっているか否かを監視する第３の監視部であり、入力電源が断となった場合にその結果を警報出力部６４０に通知する。
【００４５】
一方、パケット判定部６３６は、警報パケット検出部６０４を介して供給される警報パケットにより表わされる警報を判定する判定部であり、本実施形態では警報パケットのパターンＰＴを検出してそのパターンにより表わされる警報の種別を判定する異常判定部６５０と、識別符号ＩＤを検出してその値からいずれの装置からの警報パケットであるかを判定する識別符号判定部６５２とを含む。また、本実施形態での警報パケットの検出方式は、警報パケットを連続して所定の回数検出した場合にそれぞれの警報パケットの検出を表わす検出信号を警報出力部６４０に供給する。たとえば、ＳＥＮＤパケットを検出した場合は、ＳＥＮＤパケットまたはＳＥＮＤ−ＵＮＲパケットが１秒毎のサンプリングによりたとえば２回連続した際に、その結果を表わす検出信号を警報出力部６４０に供給する。その後、ＳＥＮＤパケットまたはＳＥＮＤ−ＵＮＲパケットが１秒毎のサンプリングによりたとえば４回連続して非検出となった場合には、その警報出力を停止する復旧信号を警報出力部６４０に供給する。ＵＮＲパケットを検出した場合には、ＵＮＲパケットがたとえば２回連続した際またはＳＥＮＤ−ＵＮＲパケットが１秒毎のサンプリングによりたとえば２回連続した際にその結果を表わす検出信号を警報出力部６４０に供給し、その後ＵＮＲパケットがたとえば４回連続して非検出となった場合または１秒毎のサンプリングによりＳＥＮＤ−ＵＮＲパケットがたとえば４回連続して非検出となった場合には同様に復旧信号を警報出力部６４０に供給する。Ｒ−ＩＮＨパケットを検出した場合には、同パケットがたとえば２回連続した際に、その結果の検出信号を警報出力部６４０に供給する。その電源断の復旧は、Ｒ−ＩＮＨ解除パケットをたとえば２回連続して検出した後、たとえば２秒間他の警報パケットの検出を停止してラインリンクの復旧が確認された後に復旧信号を警報出力部６４０に供給する。タイマ６３８は、パケット判定部６３６の検出タイミングを計る計時回路であり、それぞれの警報パケットの検出タイミングを表わすタイミング信号をそれぞれ供給する。
【００４６】
警報出力部６４０は、ラインリンク監視部６３０、局側リンク監視部６３２、電源監視部６３４またはパケット判定部６３６からの通知を受けて、それぞれの異常を表わす警報を発生する警報発生部であり、本実施形態では、たとえば、地気出力により図示しない警報装置をそれぞれの異常に応じて駆動する。警報装置は、光変換ブリッジ６０でのラインリンク断警報、局側リンク断警報、電源断警報、光変換リピータ５０または第１もしくは第２の中継器８０，９０でのラインリンク断警報、ユーザ側リンク断警報、電源断警報などのそれぞれの警報を外部に報知する報知装置である。一方、ＬＥＤ制御部６４２は、それぞれの警報に応動して、それらの異常部位を表わす図示しない複数のＬＥＤをそれぞれの異常に応じて点灯もしくは消灯するＬＥＤ駆動回路である。
【００４７】
次に、図１０を参照して本実施形態による警報転送方式を上記ＬＡＮ間接続システムの動作とともに説明すると、動作状態において、ユーザＬＡＮ１０から他のＬＡＮ宛てのイーサネットフレームは、光変換リピータ５０から光ファイバ伝送路４０に転送されて、さらに光ファイバ伝送路４０から中継装置７０の第１および第２の中継器８０，９０により中継されて光変換ブリッジ６０への光ファイバ伝送路４０に転送されて光変換ブリッジ６０に供給され、またさらに光変換ブリッジ６０から広域ＬＡＮ２０に転送される。この場合、たとえば、ユーザＬＡＮ１０と光変換リピータ５０の間に伝送路障害などが生じると、光変換リピータ５０の電気物理層終端部５０２へのデータフレームの入力が停止する。これにより、電気物理層終端部５０２において内部レジスタがリンク断に設定され、これを制御部５１２において検出すると、ユーザ側リンク断を表わすＵＮＲパケットが順次所定の間隔により生成されて警報パケット挿入部５０６の切替スイッチ５２０に供給される。その際、ＵＮＲパケットを表わすパターンＰＴに装置識別を表わすたとえば「０００１」の識別符号が付加される。切替スイッチ５２０に供給されたＵＮＲパケットは、ＭＡＣスイッチ５０４から光物理層終端部５０８への往路線に順次挿入され、さらに光物理層終端部５０８において電気−光変換されて光ファイバ伝送路４０を介して中継装置７０の第１の中継器８０に転送される。
【００４８】
次に、光変換リピータ５０から光ファイバ伝送路４０を介してＵＮＲパケットを受けた第１の中継器８０では、警報パケット検出部８０４により光物理層終端部８０２から電気物理層終端部８０８への往路線からそのＵＮＲパケットを検出すると、これを制御部８１２に供給する。ＵＮＲパケットを受けた制御部８１２では、識別コード生成部８３２によりその識別符号「０００１」を検出して、これに「０００１」つまり”１”を加算して、その値を「００１０」とする。識別符号が加算されたＵＮＲパケットは、警報パケット挿入部８０６により電気物理層終端部８０８への往路線に挿入して、さらに電気伝送路３００を介して第２の中継器９０に転送される。次に、第１の中継器８０を介して光変換リピータ５０からのＵＮＲパケットを受けた第２の中継器９０では、第１の中継器８０と同様に、その警報パケット検出部９０４により電気物理層終端部９０２から光物理層終端部９０８への往路線からそのＵＮＲパケットを検出すると、これを制御部９１２に供給する。同様に、制御部９１２では、その識別コード生成部９４２により値「００１０」となった識別符号にさらに「０００１」を加算して、その値を「００１１」とする。さらに識別符号が加算されたＵＮＲパケットは、警報パケット挿入部９０６により光物理層終端部９０８への往路線に挿入して、さらに光物理層終端部９０８により光信号に変換されて光ファイバ伝送路４０に転送される。
【００４９】
次に、中継装置７０から光ファイバ伝送路４０を介して光変換ブリッジ６０に転送されたＵＮＲパケットは、光変換ブリッジ６０の光物理層終端部６０２において光−電気変換されて、ＭＡＣスイッチ６０６への往路線に転送される。これにより、ＵＮＲパケットは、警報パケット検出部６０４の検出線６２０を介して制御部６１２に順次供給される。この際、ＵＮＲパケットは往路線からＭＡＣスイッチ６０６にも入力するが、ＵＮＲパケットのパケット長が通常転送するイーサネットフレームよりも短いので、ＭＡＣスイッチ６０６ではＵＮＲパケットを異常パケットとして廃棄する。一方、制御部６１２においてＵＮＲパケットがたとえば２回連続して検出されると、そのパケット判定部６３６では、識別符号の値を判定して、中継装置７０の第１および第２の中継器８０，９０を通過した光変換リピータ５０からの警報パケットであることを識別する。次いで、そのパターンＰＴの値からユーザ側リンク断を表わす警報であることを判定して、その結果の警報出力が発生されて、たとえば警報装置により外部に報知される。
【００５０】
また、上記の場合に、ユーザ側リンク断の後に、またはこれと同時に光変換リピータ５０への光ファイバ伝送路４０からのラインがリンク断となると、光物理層終端部５０８ではその内部レジスタにライン側のリンク断を表わす内容が設定される。これにより、制御部５１２ではＵＮＲパケットからＳＥＮＤ−ＵＮＲパケットに切り替えて、これを上記と同様に光ファイバ伝送路４０から中継装置７０を介して光変換ブリッジ６０に転送する。その際、中継装置７０の第１および第２の中継器８０，９０では、ＳＥＮＤ−ＵＮＲパケットの識別符号ＩＤにそれぞれ「０００１」を加算してその通過を表わす値を付与する。この結果、光変換ブリッジ６０では、制御部６１２において１秒毎のサンプリングにより連続してたとえば２回のＳＥＮＤ−ＵＮＲパケットを検出すると、光変換リピータ５０からのユーザ側リンク断を表わす警報とともに光変換リピータ５０でのラインリンク断を表わす警報を警報出力から発生して、外部に報知する。
【００５１】
その後、それぞれの障害が取り除かれてユーザ側リンクおよび光変換リピータ５０でのラインリンクがそれぞれ復旧して、ユーザＬＡＮ１０からのイーサネットフレームが電気物理層終端部５０２に供給され、また光電気物理層終端部５０８に光ファイバ伝送路４０からのフレーム入力があると、それぞれの物理層終端部５０２，５０８の内部レジスタのリンク断の内容が解除される。これにより、制御部５１２ではＵＮＲパケットまたはＳＥＮＤ−ＵＮＲパケットの送信が停止される。この結果、光変換ブリッジ６０の制御部６１２では、たとえば連続して４回のＵＮＲパケットの非検出あるいは１秒毎のサンプリングにより連続して、たとえば４回のＳＥＮＤ−ＵＮＲパケットの非検出が確認されると、ユーザ側リンク断を表わす警報出力および光変換リピータ５０でのラインリンク断を表わす警報出力を解除して通常のフレーム転送状態に復旧する。
【００５２】
また、光変換リピータ５０から中継装置７０への光ファイバ伝送路４０において、障害が生じると、光ファイバ伝送路４０から中継装置７０の第１の中継器８０へのフレーム入力が停止する。この場合、第１の中継器８０では光変換リピータ５０の場合と同様に、光物理層終端部８０２において内部レジスタがリンク断に設定され、これを制御部８１２において検出すると、ユーザ側リンク断を表わすＳＥＮＤパケットが順次所定の間隔により生成されて警報パケット挿入部８０６の切替スイッチ８２２に供給される。その際、ＳＥＮＤパケットを表わすパターンＰＴに装置識別を表わすたとえば「０００１」の識別符号が付加される。切替スイッチ８２２に供給されたＳＥＮＤパケットは、警報パケット挿入部８０６から電気物理層終端部８０８への往路線に順次挿入され、さらに電気物理層終端部８０８から電気伝送路３００を介して中継装置７０の第２の中継器９０に転送される。
【００５３】
次に、第１の中継器８０から電気伝送路３００を介してＳＥＮＤパケットを受けた第２の中継器９０では、警報パケット検出部９０４により電気物理層終端部９０２から光物理層終端部９０８への往路線からそのＳＥＮＤパケットを検出すると、上記と同様に、これを制御部９１２に供給する。ＳＥＮＤパケットを受けた制御部９１２では、識別コード生成部９４２によりその識別符号「０００１」を検出して、これに「０００１」つまり”１”を加算して、その値を「００１０」とする。識別符号が加算されたＳＥＮＤパケットは、警報パケット挿入部９０６により光物理層終端部９０８への往路線に挿入して、さらに光ファイバ伝送路４０を介して光変換ブリッジ６０に転送される。この結果、光変換ブリッジ６０では、上記と同様に、警報パケットのパターンＰＴおよび識別符号ＩＤの値を判定して、中継装置７０の第１の中継器８０からのＳＥＮＤパケットであることを識別して、上記と同様にその結果を外部に報知する。さらに、第１の中継器８０において、ＳＥＮＤパケットを送信して電気伝送路３００側のリンク断が検出された場合、上記と同様にＳＥＮＤ−ＵＮＲパケットを生成して第２の中継器９０を介して光変換ブリッジ６０に伝送する。これにより、光変換ブリッジ６０では、さらに中継装置７０での電気伝送路３００の異常を検出してその異常を外部に報知する。その後、それぞれのラインが復旧した場合は、ＳＥＮＤ−ＵＮＲパケットまたはＳＥＮＤパケットが停止されて、上記と同様に、通常の状態に復帰する。
【００５４】
また、中継装置の第２の中継器９０において、第１の中継器８０からの電気伝送路３００または光ファイバ伝送路４０での障害を検出した場合は、上記と同様に、ＵＮＲパケットまたはＳＥＮＤ−ＵＮＲパケットを生成して、光ファイバ伝送路４０を介して光変換ブリッジ６０に伝送する。この場合、警報パケットは、上位装置を通過せず、直接光変換ブリッジ６０に転送されて、その識別符号ＩＤの値は、「０００１」となっている。これにより、第２の中継器９０からのＵＮＲパケットまたはＳＥＮＤ−ＵＮＲパケットであることが判定され、第２の中継器９０での伝送路障害が識別されて、その結果が外部に報知される。
【００５５】
さらに、第２の中継器９０から光変換ブリッジ６０への光ファイバ伝送路４０において障害が生じた場合、光ファイバ伝送路４０から光変換ブリッジ６０の光物理層終端部６０２へのフレーム入力が停止する。これにより、光物理層終端部６０２ではフレーム入力による信号検出がなくなると、その内部レジスタにラインリンク断を表わす内容が設定される。これを検出した制御部６１２では、自装置でのラインリンク断を表わす警報を警報出力から発生して、外部に報知する。その後、ラインリンクが復旧すると、光物理層終端部６０２ではフレーム入力に応じた電流波形が検出されて、内部レジスタのリンク断を表わす内容が解除される。これにより、制御部６１２からのラインリンク断を表わす警報出力が解除されて、通常のフレーム転送状態に復旧する。
【００５６】
一方、広域ＬＡＮ２０からユーザＬＡＮ１０宛てのイーサネットフレームは、光変換ブリッジ６０から中継装置７０を介した光ファイバ伝送路４０，４０により光変換リピータ５０に供給され、さらに光変換リピータ５０からユーザＬＡＮ１０に転送される。この場合、たとえば中継装置７０から光変換リピータ５０への光ファイバ伝送路４０に障害が生じると、光ファイバ伝送路４０から光変換リピータ５０の光物理層終端部５０８へのフレーム入力が停止して、その信号検出がなくなる。これにより、光物理層終端部５０８では、内部レジスタをリンク断に設定する。これを制御部５１２において検出すると、光変換リピータ５０でのラインリンク断を表わすＳＥＮＤパケットが順次所定の間隔により生成されて警報パケット挿入部５０６の切替スイッチ５２０に供給される。切替スイッチ５２０に供給されたＳＥＮＤパケットは、ＭＡＣスイッチ５０４から光物理層終端部５０８への往路線に順次挿入され、さらに光物理層終端部５０８において電気−光変換されて光ファイバ伝送路４０から中継装置７０を介して光変換ブリッジ６０にそれぞれ伝送される。
【００５７】
光ファイバ伝送路４０を介して光変換ブリッジ６０に伝送されたＳＥＮＤパケットは、上記と同様に、中継装置の第１および第２の中継器８０，９０において、その識別符号ＩＤがそれらの通過を表わす加算された値となっている。これにより、光変換ブリッジ６０の光物理層終端部６０２において光−電気変換されて、ＭＡＣスイッチ６０６への往路線に転送されたＳＥＮＤパケットは、警報パケット検出部６０４の検出線６２０を介して制御部６１２に順次供給される。この際、ＳＥＮＤパケットは往路線からＭＡＣスイッチ６０６にも入力するが、ＳＥＮＤパケットが通常転送するイーサネットフレームのパケット長よりも短いので、ＭＡＣスイッチ６０６ではＳＥＮＤパケットを異常パケットとして廃棄する。一方、制御部６１２においてＳＥＮＤパケットが１秒毎のサンプリングによりたとえば２回連続して検出されると、その警報パターンＰＴおよび識別符号がそれぞれ判定されて、光変換リピータ５０でのラインリンク断を表わす警報が警報出力から発生される。この結果は、上記と同様に警報装置により外部に報知される。
【００５８】
また、上記の場合に、光ファイバ伝送路４０から光変換リピータ５０へのリンク断の後、またはこれと同時に光変換リピータ５０とユーザＬＡＮ１０との間のラインがリンク断となると、電気物理層終端部５０２ではその内部レジスタにユーザ側のリンク断を表わす内容が設定される。これにより、制御部５１２ではＳＥＮＤパケットからＳＥＮＤ−ＵＮＲパケットに切り替えて、これを上記と同様に中継装置７０を介した光ファイバ伝送路４０により光変換ブリッジ６０に転送する。その結果、光変換ブリッジ６０では、制御部６１２において１秒毎のサンプリングによりたとえば連続して２回のＳＥＮＤ−ＵＮＲパケットを検出すると、その警報パターンＰＴおよび識別符号ＩＤをそれぞれ判定して、光変換リピータ５０でのラインリンク断を表わす警報とともにユーザ側リンク断を表わす警報を警報出力から発生して、外部に報知する。
【００５９】
その後、光変換リピータ５０へのラインリンクおよびユーザ側リンクがそれぞれ復旧すると、光変換ブリッジ６０からのイーサネットフレームが光変換リピータ５０の光物理層終端部５０８に供給され、さらに電気物理層終端部５０２にユーザＬＡＮ１０からのフレーム入力があると、それぞれの物理層終端部５０２，５０８の内部レジスタのリンク断を表わす内容が解除される。これにより、制御部５１２ではＳＥＮＤパケットまたはＳＥＮＤ−ＵＮＲパケットの送信が停止される。この結果、光変換ブリッジ６０の制御部６１２では、１秒毎のサンプリングによりたとえば連続して４回のＳＥＮＤパケットあるいはＳＥＮＤ−ＵＮＲパケットの非検出が確認されると、光変換リピータ５０でのラインリンク断を表わす警報出力およびユーザ側リンク断を表わす警報出力を解除して、通常のフレーム転送状態に復旧する。
【００６０】
また、さらに広域ＬＡＮ２０と光変換ブリッジ６０との間において伝送路障害などが生じると、光変換ブリッジ６０の電気物理層終端部６０８へのフレーム入力が停止する。これにより、電気物理層終端部６０８ではフレーム入力による信号検出がなくなると、その内部レジスタにリンク断を表わす内容が設定される。これを検出した制御部６１２では、局側リンク断を表わす警報を警報出力から発生して、外部に報知する。その後、局側リンクが復旧すると、電気物理層終端部６０８ではフレーム入力に応じた電流波形が検出されて、内部レジスタのリンク断を表わす内容が解除される。これにより、制御部６１２からの局側リンク断を表わす警報が解除されて、通常のフレーム転送状態に復旧する。
【００６１】
一方、光変換リピータ５０において入力電源などの故障などにより電源断が発生すると、これを検出した制御部５１２では電源断を表わすＲ−ＩＮＨパケットを順次生成して、上記と同様に警報パケット挿入部５０６から光物理層終端部５０８を通して、さらに中継装置７０を介した光ファイバ伝送路４０により光変換ブリッジ６０に伝送する。光変換リピータ５０からのＲ−ＩＮＨパケットを受けた光変換ブリッジ６０では、これを警報パケット検出部６０４により光物理層終端部６０２からＭＡＣスイッチ６０６への往路線から検出して制御部６１２に順次供給する。これにより、制御部６１２では、Ｒ−ＩＮＨパケットをたとえば連続して２回検出すると、その警報パターンＰＴおよび識別符号ＩＤを判定して、光変換リピータ５０での電源断を表わす警報を警報出力から発生して、外部に報知する。その後、光変換リピータ５０において電源が復旧すると、Ｒ−ＩＮＨパケットの送信が停止されて、次いでＲ−ＩＮＨ解除パケットが生成されて他の警報パケットと同様に送信される。Ｒ−ＩＮＨパケットが停止されて、光変換ブリッジ６０の制御部６１２においてそのパケットの非検出を確認し、さらにＲ−ＩＮＨ解除パケットを受けると、他の警報の検出を２秒間停止して、ラインリンクの復旧を待つ。ラインリンクが復旧すると、光変換リピータ５０での電源断を表わす警報出力を解除して、通常のフレーム転送状態に戻る。
【００６２】
同様に、中継装置７０のそれぞれの中継器８０，９０において、電源断が発生すると、光変換リピータ５０と同様に、それぞれの制御部８１２または９１２によりＲ−ＩＮＨパケットを生成して、光変換ブリッジ６０に転送する。この場合上記と同様に、第１の中継器８０からのＲ−ＩＮＨパケットは、第２の中継器９０を通過して、その識別符号ＩＤが加算されて「００１０」となって光変換ブリッジ６０に転送される。第２の中継器９０からのＲ−ＩＮＨパケットは、その識別符号ＩＤの値が「０００１」のまま光変換ブリッジ６０に供給される。この結果、いずれの装置からのＲ−ＩＮＨパケットであるかが判定されて、その結果が報知される。ちなみに、光変換リピータ５０からのＲ−ＩＮＨパケットの識別符号は、「００１１」となって光変換ブリッジ６０に供給される。
【００６３】
以上のように本実施形態のＬＡＮ間接続システムおよびその警報転送方式によれば、安価なブリッジ方式の光変換ブリッジ６０および光変換リピータ５０ならびに中継装置７０の第１および第２の中継器８０，９０を用いてユーザＬＡＮ１０を中継地３０を介した光ファイバ伝送路４０，４０により通信事業者の広域ＬＡＮ２０に有効に接続することができる。この場合、宅内側の光変換リピータ５０または中継装置７０の第１または第２の中継器８０，９０においてリンク断などの異常が検出された際に、それぞれの異常を表わす警報パケットを用いて局側の光変換ブリッジ６０に有効に警報転送することができ、それらの異常を管理者に的確に報知することができる。特に、警報パケットを通常のイーサネットフレームの最短パケット長よりも短いパケットを用いているので、ブロードキャストアドレスの警報パケットが制御部６１２により検出された後にＭＡＣスイッチ６０６によって廃棄されるため、広域ＬＡＮ２０にさらに他の網に流出することがなく、他のトラフィックに悪影響を及ぼすことのない確実な警報転送を行なうことができる。したがって、光ファイバ伝送路４０、中継器８０，９０および宅内側の光変換リピータ５０の障害などを迅速に検出してその保守管理の品質の向上を図ることができ、優れたサービスをユーザに提供することができる。さらに、警報パケットに識別符号ＩＤを設け、中継点３０での第１および第２の中継器８０，９０により下位の装置からの警報パケットの識別符号ＩＤにそれぞれ所定の値を加算して自装置を通過したことを表わすようにしたので、通信事業者側の光変換ブリッジ６０においていずれの装置からの警報パケットであるかを判別することができ、警報パターンＰＴの判別と併せて、いずれの場所でのどのような障害であるかを的確に、かつ迅速に判断することができる。したがって、特に、長距離伝送の場合の保守管理の品質をさらに向上することができる。
【００６４】
なお、上記実施形態では、光ファイバ伝送路４０として１００Ｍｂｐｓの伝送帯域のものを適用したが、本発明においては、もちろん任意の伝送帯域のものを適用してよい。また、上記実施形態では、中継点を１か所のみとした場合を例に挙げて説明したが、本発明においては、中継点が複数存在する場合にももちろん適用することができる。
【００６５】
また、上記実施形態では、警報パケットとして通常ＬＡＮにおいて転送されるイーサネットネットフレームの最短パケット長よりも短いパケットを適用して光変換ブリッジ６０において破棄する場合を例に挙げて説明したが、本発明においては、警報パケットがＬＡＮ側に流出することなく、有効に破棄されるものであれば、いずれの形状またはいずれのフォーマットでもよい。たとえば図１１に示すように、警報パケットとして警報パターンと識別符号を付与した通常のイーサネットフレームと同様のデータ長に形成して、その誤り訂正符号として強制的に誤りを挿入したパケットを生成して転送するようにしてもよい。
【００６６】
【発明の効果】
以上説明したように本発明のＬＡＮ間接続システムによれば、ユーザＬＡＮと通信事業者の広域ＬＡＮとを少なくとも１以上の中継地を介して光ファイバ伝送路により接続するＬＡＮ間接続システムであって、ユーザ宅内に設置されてユーザＬＡＮと光ファイバ伝送路との間に伝送するデータフレームを電気−光変換してそのデータフレームを媒体アクセス制御により転送する第１の変換装置と、通信事業者側に設置されて広域ＬＡＮと光ファイバ伝送路との間に伝送する所定のデータフレームを電気―光変換してそのデータフレームを媒体アクセス制御により転送する第２の変換装置と、光ファイバ伝送路のそれぞれの中継地に電気伝送路により相互に接続されて設置された第１および第２の中継器を含む中継装置であって光ファイバ伝送路からのデータフレームを一旦電気信号に変換して再び光ファイバ伝送路により伝送する光信号に変換して転送する中継装置とを有し、第１の変換装置と中継装置の第１および第２の中継器は、それぞれ自装置へのデータフレームの入出力状態を監視して、その異常を検出した際にそれぞれの異常を表わす警報パケットであって第２の変換装置により破棄される警報パケットを中継地または他の中継器を含む光ファイバ伝送路を介して第２の変換装置に転送する警報転送制御手段を含み、さらに中継装置の第１および第２の中継器は、第１の変換装置または第１の中継器から第２の変換装置に転送する警報パケットが自装置を通過する際に、その警報パケットに自装置の通過を表わす識別符号を付与する識別符号付与手段を含み、第２の光変換装置は、第１の光変換装置または中継装置の第１の中継器もしくは第２の中継器からの警報パケットを光ファイバ伝送路から受けてその警報パケットが第１の光変換装置または中継装置の第１もしくは第２の中継器のいずれからのものであるかを判定し、さらに異常を判定してその警報パケットにより表わされる警報を外部に出力する警報出力制御手段とを含む構成とすることにより、宅内側の第１の変換装置または中継装置の第１もしくは第２の中継器において検出した異常を通信事業者側の第２の変換装置に有効に転送することができる安価なブリッジ方式のＬＡＮ間接続を実現することができる。
【００６７】
また、警報パケットは、第２の変換装置において転送処理するデータフレームの最短パケット長よりもさらに短いパケット長に形成されたパケットであって、少なくとも警報の種別を表わす所定のパターンと、第１の変換装置または中継装置の第１もしくは第２の中継器のいずれの装置から発生された警報パケットであるかを表わす所定の識別符号とを含む構成とすることにより、第２の変換装置において警報パケットをそのパケット長によりＬＡＮに転送するデータフレームと有効に区別して破棄することができる。したがって、無用なパケットをＬＡＮに転送することなく、その結果生じる通信の混乱を有効に防止することができる。
【００６８】
また、警報パケットは、第２の変換装置において転送処理するデータフレームのパケット長と同様の長さのパケットであり、少なくとも警報の種別を表わす所定のパターンと、第１の変換装置または中継装置のいずれの装置から発生された警報パケットであるかを表わす識別符号と、警報パケットの誤り訂正符号であってその符号に強制的に誤りを含ませた誤り訂正符号とを含む構成とすることにより、第２の変換装置において警報パケットをその誤り符号によりＬＡＮに転送するデータフレームと有効に区別して破棄することができる。したがって、無用なパケットをＬＡＮに転送することなく、その結果生じる通信の混乱を有効に防止することができる。
【００６９】
また、第１の変換装置と中継装置の第１および第２の中継器は、識別符号として同じ値の符号を警報パケットに付加して送信し、中継装置の第１および第２の中継器は、それぞれの装置から転送された警報パケットが自装置を通過する際に、その識別符号に所定の値を加算して転送する構成とすることにより、第２の変換装置においていずれの装置から転送された警報パケットであるかを有効に判別することができる。この場合、第１および第２の中継器では、識別符号付与手段として簡易な加算回路を用いることができ、その回路を簡易な構成により実現することができる。
【００７０】
また、第１の変換装置は、ユーザＬＡＮと接続された電気物理層を終端する電気物理層終端手段と、光ファイバ伝送路と接続された光物理層を終端する光物理層終端手段と、それら終端手段間においてデータフレームをそのＭＡＣアドレスに従って転送するＭＡＣスイッチと、ＭＡＣスイッチと光物理層終端手段との間において警報転送制御手段からの警報パケットを光ファイバ伝送路への送信経路に挿入する警報パケット挿入手段とを含み、警報転送制御手段は少なくとも、電気物理層終端手段でのユーザＬＡＮとのリンク状態を監視する第１の監視手段と、光物理層終端手段での光ファイバ伝送路とのリンク状態を監視する第２の監視手段と、自装置の電源が正常であるか否かを監視する第３の監視手段と、それぞれの監視手段のいずれかにおいて異常を検出した際にその異常を表わす警報パケットを生成するパケット生成手段とを含む構成とすることにより、ユーザ宅内でのユーザ側リンクまたはライン側リンクの障害あるいは自装置の電源断を的確に検出して、それらの障害を表わす警報パケットを事業者側の第２の変換装置に有効に転送することができる。
【００７１】
また、中継装置の第１および第２の中継器はそれぞれ、電気伝送路と接続された電気物理層を終端する電気物理層終端手段と、光ファイバ伝送路と接続された光物理層を終端する光物理層終端手段と、それら終端手段間において警報転送制御手段からの警報パケットを第２の変換装置への送信経路に挿入する警報パケット挿入手段と、終端手段間において第１の変換装置または第１の中継器からの警報パケットをその受信経路から検出する警報パケット検出手段とを含み、警報転送制御手段は少なくとも、電気物理層終端手段での電気伝送路とのリンク状態を監視する第１の監視手段と、光物理層終端手段での光ファイバ伝送路とのリンク状態を監視する第２の監視手段と、自装置の電源が正常であるか否かを監視する第３の監視手段と、それぞれの監視手段のいずれかにおいて異常を検出した際にその異常を表わす警報パケットを生成するパケット生成手段とを含み、識別符号付与手段は、警報パケット検出手段により検出した第１の変換装置または第１の中継器からの警報パケットの識別符号に所定の値を加算して自装置を通過したことを表わす識別符号を生成する加算手段を含む構成とすることにより、長距離伝送における中継点でのユーザ側リンクまたはライン側リンクの障害あるいは自装置の電源断を的確に検出して、それらの障害および装置識別を表わす警報パケットを事業者側の第２の変換装置に有効に転送することができる。
【００７２】
また、第２の変換装置は、広域ＬＡＮと接続された電気物理層を終端する電気物理層終端手段と、光ファイバ伝送路と接続された光物理層を終端する光物理層終端手段と、それら終端手段間においてデータフレームをそのＭＡＣアドレスに従って転送するＭＡＣスイッチと、ＭＡＣスイッチと光物理層終端手段との間において第１の変換装置または中継装置の第１もしくは第２の中継器からの警報パケットをその受信経路から警報出力制御手段に供給する警報パケット検出手段とを含み、警報出力制御手段は少なくとも、警報パケット検出手段からの警報パケットが第１の変換装置または中継装置のいずれの装置からの警報パケットであるかを判定する識別符号判定手段と、その装置でのいずれの異常を表わすかを判定する警報判定手段と、それらの結果に基づいて警報を発生する警報発生手段とを含む構成とすることにより、宅内側の光変換リピータまたは中継点での第１もしくは第２の中継器からの警報パケットを的確に検出して、それらの警報パケットが表わす伝送路等の異常を外部に有効に報知することができる。特に、警報パケットが通常のフレームと異なるように形成されているので、これがＭＡＣスイッチにより広域ＬＡＮ側への通過を阻止されて廃棄されるため、その流出による悪影響が生じない。
【００７３】
本発明の警報転送方式によれば、ユーザＬＡＮと通信事業者の広域ＬＡＮとを少なくとも１以上の中継地を含む光ファイバ伝送路を介して接続するＬＡＮ間接続システムにおける警報転送方式であって、ユーザ宅内側にユーザＬＡＮと光ファイバ伝送路との間に伝送するデータフレームを電気−光変換してそのデータフレームを媒体アクセス制御により転送する第１の変換装置を用意し、通信事業者側に広域ＬＡＮと光ファイバ伝送路との間に伝送する所定のデータフレームを電気−光変換してそのデータフレームを媒体アクセス制御により転送する第２の変換装置を用意し、さらにそれぞれの中継地に電気伝送路により接続された第１および第２の中継器を含む中継装置であって光ファイバ伝送路からのデータフレームを電気信号に一旦変換して再び光ファイバ伝送路により伝送する光信号に変換して転送する中継装置を用意し、第１の変換装置において、少なくともユーザＬＡＮからのデータフレームの入力状態および光ファイバ伝送路からのデータフレームの入力状態をそれぞれ監視するとともに、中継装置の第１および第２の中継器において、光ファイバ伝送路または電気伝送路からのデータフレームの入力状態をそれぞれ監視し、それらの監視の際に異常を検出した場合に、それぞれの異常を表わす警報パケットであって第２の変換装置により破棄される警報パケットを生成し、警報パケットを中継地または他の中継器を含む光ファイバ伝送路を介して第２の変換装置に送信し、その際、中継地では、第１の変換装置または第２の中継器からの警報パケットが自装置を通過する際に、その通過を表わす識別符号を付与して転送するので、宅内側の第１の変換装置または中継装置の第１もしくは第２の中継器により検出した障害などの異常を有効に事業者側の第２の変換装置に転送することができる。特に、下位装置からの警報パケットが通過したことを表わす識別符号を付与して、いずれの装置からのパケットであるかを容易に判別することができる。さらに、警報パケットが通常のデータフレームのパケットと異なる形状に形成されているので、光変換ブリッジから広域ＬＡＮ側に通過してしまうことがなく、他の通信に悪影響を与えることなく有効に警報転送することができる。
【００７４】
また、第２の変換装置は、第１の変換装置または中継装置の第１もしくは第２の中継器からの警報パケットを光ファイバ伝送路から受けて、その警報パケットが第１の変換装置または中継装置の第１もしくは第２の中継器のいずれの装置からのものであるかを判定するとともにその異常を判定した後に、警報パケットを破棄し、さらに警報パケットの判定結果により表わされる警報を外部に出力して報知する構成とすることにより、局の管理者などに有効に宅内側の第１の変換装置または中継装置の第１もしくは第２の中継器での異常を知らせることができる。
【００７５】
また、警報パケットは、第２の変換装置において転送処理するデータフレームの最短パケット長よりもさらに短いパケット長に形成されたパケットであり、第２の変換装置は、警報パケットのパケット長を判定して、その長さから異常パケットとして破棄する構成とすることにより、無用なパケットのＬＡＮへの流入を防止して、その結果から生じる通信の混乱を有効に防止することができる。
【００７６】
また、警報パケットは、第２の変換装置において転送処理するデータフレームのパケット長と同様の長さのパケットであって、その誤り訂正符号に強制的に誤りを含ませたパケットであり、第２の変換装置は、警報パケットの誤りを判定して、その結果から異常パケットと判定して破棄する構成とすることにより、無用なパケットのＬＡＮへの流入を防止して、その結果から生じる通信の混乱を有効に防止することができる。
【００７７】
また、第１の変換装置と中継装置の第１および第２の中継器は、さらに自装置の電源が正常であるか否かを監視して、その異常を検出した際にその警報を表わす警報パケットを生成して、これを光ファイバ伝送路を介して第２の変換装置に送信する構成とすることにより、宅内側の光変換リピータまたは中継点の第１もしくは第２の中継器での電源断による装置障害を有効に事業者側に知らせることができる。
【図面の簡単な説明】
【図１】
本発明によるＬＡＮ間接続システムの一実施形態を示すブロック図である。
【図２】
図１の実施形態によるＬＡＮ間接続システムに適用される光変換リピータの内部構成例を示す機能ブロック図である。
【図３】
図１の実施形態によるＬＡＮ間接続システムに適用される光変換ブリッジの内部構成例を示す機能ブロック図である。
【図４】
図１の実施形態によるＬＡＮ間接続システムが適用されたネットワーク構成例を示す図である。
【図５】
図１の実施形態に適用される光変換リピータの制御部の機能構成例を示す機能ブロック図である。
【図６】
図１の実施形態による光変換ブリッジの制御部の機能構成例を示す機能ブロック図である。
【図７】
図１の実施形態に適用される第１および第２の中継器の制御部の機能構成例を示す機能ブロック図である。
【図８】
図１の実施形態に適用されるイーサネットフレームのフォーマット例を示す図である。
【図９】
図１の実施形態に適用される警報パケットのフォーマット例を示す図である。
【図１０】
図１の実施形態に適用される警報転送方式を示す図である。
【図１１】
本発明によるＬＡＮ間接続システムに適用される警報パケットの他のフォーマット例を示す図である。
【符号の説明】
１０  ユーザＬＡＮ
２０  広域ＬＡＮ
３０  中継地
４０  光ファイバ伝送路
５０  光変換リピータ
６０  光変換ブリッジ
７０  中継装置
８０  第１の中継器
９０  第２の中継器
１００  宅内ルータ
２００  局内ルータ
３００  電気伝送路
５０２，６０８，８０８，９０２  電気物理層終端部
５０４，６０６  ＭＡＣスイッチ
５０６  警報パケット挿入部
５２０，６２２，８２２，９２２  切替スイッチ
５２２，６２０，８２０，９２０  検出線
６０４  警報パケット検出部
８０４，９０４  警報パケット検出部
８０６，９０６  警報パケット挿入部
５０８，６０２，８０２，９０８  光物理層終端部
５１０，６１０，８１０，９１０  電源部
５１２，６１２，８１２，９１２  制御部